(57)【要約】【課題】動画像の高品質化を図るための表示装置とその駆動装置及び駆動方法を提供する。【解決手段】  画像信号に基づき画像を表示するよう構成された表示パネルと、第１ガンマ曲線を適用した第１サブフレーム画面のフレームデータを前記表示パネルに供給し、前記第１ガンマ曲線のガンマ値より大きいガンマ値を有する第２ガンマ曲線を適用した第２サブフレーム画面のフレームデータを前記表示パネルに供給するように構成された駆動部とを有す。【選択図】図１
2006058891.tif 000002
【特許請求の範囲】
【請求項１】
画像信号に基づき画像を表示するよう構成された表示パネルと、
第１ガンマ曲線を適用した第１サブフレーム画面のフレームデータを前記表示パネルに供給し、前記第１ガンマ曲線のガンマ値より大きいガンマ値を有する第２ガンマ曲線を適用した第２サブフレーム画面のフレームデータを前記表示パネルに供給するように構成された駆動部とを有することを特徴とする表示装置。
【請求項２】
前記第２サブフレーム画面は、前記第１ガンマ曲線のガンマ値より大きいガンマ値を有するｍ（ｍは自然数）個の第２ガンマ曲線を適用したｍ個のサブフレーム画面を有することを特徴とする請求項１に記載の表示装置。
【請求項３】
第１駆動周波数に基づいて前記フレームデータを貯蔵するフレーム貯蔵部と、
前記フレーム貯蔵部に貯蔵されたフレームデータを、前記第１駆動周波数に対して（ｍ−１）逓倍された第２駆動周波数に基づいて読み出しするタイミング制御部とをさらに有することを特徴とする請求項１又は２に記載の表示装置。
【請求項４】
前記第２ガンマ曲線は、使用者によって選択可能であることを特徴とする請求項１に記載の表示装置。
【請求項５】
前記フレームデータのフレームサイクルの中の第１区間では前記第１サブフレーム画面が表示され、フレームサイクルの中の第２区間では前記第２サブフレーム画面が表示され、前記第１区間と前記第２区間の長さは同一であることを特徴とする請求項１に記載の表示装置。
【請求項６】
前記第２区間の長さが前記第１区間の長さより長いことを特徴とする請求項５に記載の表示装置。
【請求項７】
前記第２区間の長さと前記第１区間の長さとの比は、２以下であることを特徴とする請求項６に記載の表示装置。
【請求項８】
前記第１区間と前記第２区間との合計は、実質的に１６．７ｍｓであることを特徴とする請求項５に記載の表示装置。
【請求項９】
前記駆動部は、前記第１ガンマ曲線に対応する第１基準階調データと、前記第２ガンマ曲線に対応する第２基準階調データを貯蔵するガンマ貯蔵部と、
前記第１基準階調データ及び第２基準階調データに基づいて第１基準階調電圧及び第２基準階調電圧をそれぞれ発生させる基準階調電圧発生部と、
前記フレームデータを前記第１基準階調電圧及び第２基準階調電圧に基づいて第１データ電圧及び第２データ電圧にそれぞれ変換し、該変換された第１データ電圧及び第２データ電圧を前記表示パネルに出力するデータ駆動部とを有することを特徴とする請求項１記載の表示装置。
【請求項１０】
前記第１サブフレーム画面は、前記第１データ電圧によって表示され、前記第２サブフレーム画面は前記第２データ電圧によって表示されることを特徴とする請求項９に記載の表示装置。
【請求項１１】
前記データ駆動部は、前記各々の基準階調電圧を階調レベル数に対応する階調電圧に分配する階調電圧発生部と、
前記階調電圧に基づいて前記フレームデータをアナログ形態のデータ電圧に変換するデジタル−アナログ変換器とを有することを特徴とする請求項９に記載の表示装置。
【請求項１２】
前記第２ガンマ曲線のガンマ値は、前記第１ガンマ曲線のガンマ値より３以上大きいことを特徴とする請求項１に記載の表示装置。
【請求項１３】
画像信号に基づき画像を表示する表示パネルを有する表示装置の駆動装置において、
第１ガンマ曲線に対応する第１基準階調データと、前記第１ガンマ曲線のガンマ値より大きいガンマ値を有する第２ガンマ曲線に対応する第２基準階調データとを貯蔵するガンマ貯蔵部と、
前記第１基準階調データ及び第２基準階調データに基づいて第１基準階調電圧及び第２基準階調電圧をそれぞれ発生させる基準階調電圧発生部と、
フレームデータを前記第１基準階調電圧及び第２基準階調電圧に基づいて第１データ電圧及び第２データ電圧にそれぞれ変換し、該変換された第１データ電圧及び第２データ電圧を前記表示パネルに出力するデータ駆動部とを有することを特徴とする表示装置の駆動装置。
【請求項１４】
前記第１サブフレーム画面は、前記第１データ電圧によって表示され、前記第２サブフレーム画面は一つ以上の前記第２データ電圧によって表示されることを特徴とする請求項１３に記載の表示装置の駆動装置。
【請求項１５】
前記第２サブフレーム画面は、前記第１ガンマ曲線のガンマ値より大きいガンマ値を有するｍ（ｍは自然数）個の第２ガンマ曲線を適用したｍ個のサブフレーム画面を有することを特徴とする請求項１３に記載の表示装置の駆動装置。
【請求項１６】
第１駆動周波数に基づいて前記フレームデータを貯蔵するフレーム貯蔵部と、
前記フレーム貯蔵部に貯蔵されたフレームデータを前記第１駆動周波数に対して（ｍ−１）逓倍された第２駆動周波数に基づいて読み出しするタイミング制御部とをさらに有することを特徴とする請求項１３又は１５に記載の表示装置の駆動装置。
【請求項１７】
前記第２ガンマ曲線は、使用者によって選択可能であることを特徴とする請求項１３に記載の表示装置の駆動装置。
【請求項１８】
前記フレームデータのフレームサイクルの中の第１区間では前記第１サブフレーム画面が表示され、フレームサイクルの中の第２区間では前記第２サブフレーム画面が表示され、前記第１区間と前記第２区間の長さは同一であることを特徴とする請求項１３に記載の表示装置の駆動装置。
【請求項１９】
前記第２区間の長さが前記第１区間の長さより長いことを特徴とする請求項１８に記載の表示装置の駆動装置。
【請求項２０】
前記第２区間の長さと前記第１区間の長さとの比は、２以下であることを特徴とする請求項１９に記載の表示装置の駆動装置。
【請求項２１】
前記第１区間と前記第２区間との合計は、実質的に１６．７ｍｓであることを特徴とする請求項１８に記載の表示装置の駆動装置。
【請求項２２】
前記データ駆動部は、前記各々の基準階調電圧を階調レベル数に対応する階調電圧に分配する階調電圧発生部と、
前記階調電圧に基づいて前記フレームデータをアナログ形態のデータ電圧に変換するデジタル−アナログ変換器とを有することを特徴とする請求項１３に記載の表示装置の駆動装置。
【請求項２３】
前記第２ガンマ曲線のガンマ値は、前記第１ガンマ曲線のガンマ値より３以上大きいことを特徴とする請求項１３に記載の表示装置の駆動装置。
【請求項２４】
外部からフレームデータの入力を受ける段階（ａ）と、
前記フレームデータのフレームサイクルの中の第１区間では第１ガンマ曲線を適用して第１サブフレーム画面を表示し、フレームサイクルの中の第２区間では前記第１ガンマ値より大きいガンマ値を有する第２ガンマ曲線を適用して第２サブフレーム画面を表示する段階（ｂ）とを有することを特徴とする表示装置の駆動方法。
【請求項２５】
前記第１区間と前記第２区間の長さは、同一であることを特徴とする請求項２４に記載の表示装置の駆動方法。
【請求項２６】
前記第１区間の長さが前記第２区間の長さより長いことを特徴とする請求項２４に記載の表示装置の駆動方法。
【請求項２７】
前記第２区間の長さと前記第１区間の長さとの比は、２以下であることを特徴とする請求項２６に記載の表示装置の駆動方法。
【請求項２８】
前記第１区間と前記第２区間との合計は、実質的に１６．７ｍｓであることを特徴とする請求項２４に記載の表示装置の駆動方法。
【請求項２９】
前記段階（ｂ）は、前記第１ガンマ曲線に対応する第１基準階調電圧を生成する段階（ｂ−１）と、
前記第１基準階調電圧に基づいて前記フレームデータを第１データ電圧に変換する段階（ｂ−２）と、
前記第１サブフレーム画面を表示するために前記第１データ電圧を出力する段階（ｂ−３）と、
前記第２ガンマ曲線に対応する第２基準階調電圧を生成する段階（ｂ−４）と、
前記第２基準階調電圧に基づいて前記フレームデータを第２データ電圧に変換する段階（ｂ−５）と、
前記第２サブフレーム画面を表示するために前記第２データ電圧を出力する段階（ｂ−６）とを有することを特徴とする請求項２４に記載の表示装置の駆動方法。
【請求項３０】
第１駆動周波数に基づいて前記フレームデータを貯蔵する段階と、
前記第１駆動周波数に対して（ｍ−１）逓倍（ｍは自然数）された第２駆動周波数に基づいて前記貯蔵されたフレームデータを読み出しする段階とをさらに有することを特徴とする請求項２４に記載の表示装置の駆動方法。
【請求項３１】
前記フレームデータは、ｍ個のサブフレーム画面で表示されることを特徴とする請求項３０記載の表示装置の駆動方法。
【請求項３２】
前記第２ガンマ曲線のガンマ値は、第１ガンマ曲線のガンマ値より３以上大きいことを特徴とする請求項２４記載の表示装置の駆動方法。
【発明の詳細な説明】
【技術分野】
【０００１】
本発明は液晶表示装置に関し、より詳細には動画像の高品質化を図るための表示装置とその駆動装置及び駆動方法に関する。
【背景技術】
【０００２】
一般的に、陰極線管（ＣＲＴ）はインパルス方式で画像信号を表示する反面、液晶表示装置はホールド方式で画像信号を表示する。これにより、液晶表示装置は動画像具現の際、応答速度が遅くなることによって画面に残像が残る現象が発生する。このような画面に残像が残る現象（ｍｏｔｉｏｎ  ｂｌｕｒ）を除去するために従来は任意のブラックデータをフレーム画面全体に一括的に挿入して各画素で放射される光を周期的に遮断する方式を使用している（例えば、特許文献１参照）。
【０００３】
しかし、上記のブラックデータ挿入方式は、視認的に残像が残る現象を除去する効果は大きいが、実際に残像が残る現象の発生が比較的些細であるホワイト側や、ブラック側ではデータの損失が発生する。
【０００４】
また、ブラックデータ挿入方式ではブラックデータがフレーム毎に挿入されることによって輝度損失が発生する。さらに、正常駆動周波数（フレーム周波数、例えば、６０Ｈｚ）では１秒間に６０枚のフレーム画面が表示されなければならないが、ブラックデータの挿入で１秒間に３０枚のフレーム画面しか表示されないので、１フレーム周期内で表示されるデータ量が減少されるという問題点を有する。このような問題点は結果的に液晶表示装置の動画像に対する表示品質を低下させる。
【発明の開示】
【発明が解決しようとする課題】
【０００５】
そこで、本発明は上記従来の表示装置とその駆動装置及び駆動方法における問題点に鑑みてなされたものであって、本発明の目的は、動画像品質向上及び輝度向上のための表示装置を提供することにある。
又、本発明の他の目的は、上記表示装置の駆動装置及びその駆動方法を提供することにある。
【課題を解決するための手段】
【０００６】
上記目的を達成するためになされた本発明による表示装置は、画像信号に基づき画像を表示するよう構成された表示パネルと、第１ガンマ曲線を適用した第１サブフレーム画面のフレームデータを前記表示パネルに供給し、前記第１ガンマ曲線のガンマ値より大きいガンマ値を有する第２ガンマ曲線を適用した第２サブフレーム画面のフレームデータを前記表示パネルに供給するように構成された駆動部とを有することを特徴とする。
【０００７】
前記第２サブフレーム画面は、前記第１ガンマ曲線のガンマ値より大きいガンマ値を有するｍ（ｍは自然数）個の第２ガンマ曲線を適用したｍ個のサブフレーム画面を有することを特徴とする。
第１駆動周波数に基づいて前記フレームデータを貯蔵するフレーム貯蔵部と、前記フレーム貯蔵部に貯蔵されたフレームデータを、前記第１駆動周波数に対して（ｍ−１）逓倍された第２駆動周波数に基づいて読み出しするタイミング制御部とをさらに有することを特徴とする。
【０００８】
上記目的を達成するためになされた本発明による表示装置の駆動装置は、画像信号に基づき画像を表示する表示パネルを有する表示装置の駆動装置において、第１ガンマ曲線に対応する第１基準階調データと、前記第１ガンマ曲線のガンマ値より大きいガンマ値を有する第２ガンマ曲線に対応する第２基準階調データとを貯蔵するガンマ貯蔵部と、前記第１基準階調データ及び第２基準階調データに基づいて第１基準階調電圧及び第２基準階調電圧をそれぞれ発生させる基準階調電圧発生部と、フレームデータを前記第１基準階調電圧及び第２基準階調電圧に基づいて第１データ電圧及び第２データ電圧にそれぞれ変換し、該変換された第１データ電圧及び第２データ電圧を前記表示パネルに出力するデータ駆動部とを有することを特徴とする。
【０００９】
前記第１サブフレーム画面は、前記第１データ電圧によって表示され、前記第２サブフレーム画面は一つ以上の前記第２データ電圧によって表示されることを特徴とする。
前記第２サブフレーム画面は、前記第１ガンマ曲線のガンマ値より大きいガンマ値を有するｍ（ｍは自然数）個の第２ガンマ曲線を適用したｍ個のサブフレーム画面を有することを特徴とする。
第１駆動周波数に基づいて前記フレームデータを貯蔵するフレーム貯蔵部と、前記フレーム貯蔵部に貯蔵されたフレームデータを前記第１駆動周波数に対して（ｍ−１）逓倍された第２駆動周波数に基づいて読み出しするタイミング制御部とをさらに有することを特徴とする。
【００１０】
上記目的を達成するためになされた本発明による表示装置の駆動方法は、外部からフレームデータの入力を受ける段階（ａ）と、前記フレームデータのフレームサイクルの中の第１区間では第１ガンマ曲線を適用して第１サブフレーム画面を表示し、フレームサイクルの中の第２区間では前記第１ガンマ値より大きいガンマ値を有する第２ガンマ曲線を適用して第２サブフレーム画面を表示する段階（ｂ）とを有することを特徴とする。
【００１１】
前記段階（ｂ）は、前記第１ガンマ曲線に対応する第１基準階調電圧を生成する段階（ｂ−１）と、前記第１基準階調電圧に基づいて前記フレームデータを第１データ電圧に変換する段階（ｂ−２）と、前記第１サブフレーム画面を表示するために前記第１データ電圧を出力する段階（ｂ−３）と、前記第２ガンマ曲線に対応する第２基準階調電圧を生成する段階（ｂ−４）と、前記第２基準階調電圧に基づいて前記フレームデータを第２データ電圧に変換する段階（ｂ−５）と、前記第２サブフレーム画面を表示するために前記第２データ電圧を出力する段階（ｂ−６）とを有することを特徴とする。
第１駆動周波数に基づいて前記フレームデータを貯蔵する段階と、前記第１駆動周波数に対して（ｍ−１）逓倍（ｍは自然数）された第２駆動周波数に基づいて前記貯蔵されたフレームデータを読み出しする段階とをさらに有することを特徴とする。
前記フレームデータは、ｍ個のサブフレーム画面で表示されることを特徴とする。
【発明の効果】
【００１２】
本発明による表示装置とその駆動装置及び駆動方法によれば、フレームデータを正常ガンマ曲線が適用された第１サブフレーム画面と前記正常ガンマより大きいガンマ曲線が適用された少なくとも一つ以上の第２フレーム画面で表示することで画面の残像が残る現象を除去することができる効果がある。
また、このように、フレームデータをガンマ値が大きいガンマ曲線を適用して残像が残る現象を除去するために使用することで、従来の一括的なブラックデータを挿入する方式に比べて輝度特性を向上させることができる効果があり、従って、動画像具現の際、高品質の画面を獲得することができる効果がある。
【発明を実施するための最良の形態】
【００１３】
次に、本発明に係る表示装置とその駆動装置及び駆動方法を実施するための最良の形態の具体例を図面を参照しながら説明する。
【実施例】
【００１４】
図１は本発明の実施例による液晶表示装置のブロック図である。
図１に示すように、本発明の実施例による液晶表示装置は、タイミング制御部１１０、フレーム貯蔵部１２０、ガンマ貯蔵部１３０、駆動電圧発生部１４０、基準階調電圧発生部１５０、データ駆動部１６０、スキャン駆動部１７０及び液晶表示パネル１８０を含む。
【００１５】
タイミング制御部１１０は、外部装置から入力される制御信号ＣＯＮＴＬに基づいて液晶表示装置の全般的な動作を制御する。具体的には、制御信号ＣＯＮＴＬにはメインクロック信号ＭＣＬＫ、水平同期信号ＨＳＹＮＣ、垂直同期信号ＶＳＹＮＣ及びデータイネーブルＤＥ信号を含む。また、使用者インターフェース（図示せず）から伝送される使用者によるガンマ選択信号を含む。ガンマ選択信号は、ガンマ貯蔵部１３０に貯蔵された多様なガンマ曲線の中から所定のガンマ曲線を選択する制御信号である。
【００１６】
タイミング制御部１１０は、上記制御信号ＣＯＮＴＬに基づいてデータ駆動部１６０を制御する水平同期開始信号ＳＴＨ、反転信号及びロード信号などの制御信号１１１Ｃを出力し、スキャン駆動部１７０を制御するスキャン開始信号ＳＴＶ、スキャンクロック信号ＣＰＶ及び出力イネーブル信号ＯＥなどの制御信号１１２を出力し、駆動電圧発生部１４０を制御するメインクロック信号ＭＣＬＫ及び反転信号ＲＶＳなどの制御信号１１３を出力する。
【００１７】
また、タイミング制御部１１０は、ガンマ貯蔵部１３０に貯蔵された複数のガンマ曲線に対する基準階調データを選択し読み出しを行い、基準階調電圧発生部１５０に基準階調データ１１４を提供する。例えば、予め設定されたガンマ曲線に対応する基準階調データ１１４を読み出して出力するか、または使用者によって選択されたガンマ曲線に対応する基準階調データ１１４を読み出して出力する。
フレーム貯蔵部１２０は、外部装置から入力される画像データＤＡＴＡをフレーム単位で貯蔵する。タイミング制御部１１０は、第１駆動周波数にて入力される画像データＤＡＴＡをフレーム貯蔵部１２０に貯蔵し、貯蔵された画像データＤＡＴＡを第２駆動周波数と同期してデータ駆動部１６０に出力する。ここで、第２駆動周波数は第１駆動周波数のｍ（ｍは自然数）倍の周波数である。
【００１８】
例えば、第１駆動周波数が６０Ｈｚであり、第２駆動周波数が１２０Ｈｚである場合、第１駆動周波数による一つのフレームの駆動時間（すなわち、１／６０秒）の間ｎ（ｎは自然数）番目フレームデータは第２駆動周波数によって液晶表示パネル１８０に２つのサブフレーム画面で表示可能である。即ち、第１駆動周波数に対してｍ（ｍは自然数）逓倍された第２駆動周波数で駆動することによってｎ番目フレームデータはｍ個のサブフレーム画面で表示可能である。
【００１９】
ガンマ貯蔵部１３０は、ＲＯＭ（Ｒｅａｄ−Ｏｎｌｙ  Ｍｅｍｏｒｙ）として、複数のガンマ（ここでは、γは２．２以上とする）曲線によるサンプリングされた基準階調データが貯蔵される。例えば、第１ガンマ（γ＝２．２）曲線による８個のサンプリングされた基準階調データが貯蔵され、第２ガンマ（γ＝５．２）曲線による８個のサンプリングされた基準階調データが貯蔵される。同様にして多様なガンマ曲線によるサンプリングされた基準階調データがガンマ貯蔵部１３０に貯蔵される。
【００２０】
貯蔵された基準階調データを基づいて、タイミング制御部１１０は、ｎ番目フレームデータを、通常ガンマ曲線を適用した第１サブフレーム画面で表示し、通常ガンマ曲線より大きいガンマ値を有する少なくとも一つ以上のガンマ曲線を適用した少なくとも一つ以上の第２サブフレーム画面で表示する。
【００２１】
駆動電圧発生部１４０は、液晶表示装置を駆動するための駆動電圧を発生する。具体的には、スキャン駆動部１７０にスキャン電圧（ＶＯＮ、ＶＯＦＦ）１４２を出力し、液晶表示パネル１８０には共通電圧（ＶＣＯＭ、ＶＳＴ）１４３を出力する。また、基準階調電圧発生部１５０には基準電圧（ＶＲＥＦ）１４４を出力する。
【００２２】
基準階調電圧発生部１５０は、ガンマ貯蔵部１３０から読み出された基準階調データに基づいて駆動電圧発生部１４０から提供される基準電圧（ＶＲＥＦ）１４４を基準階調電圧１５１に変換して出力する。例えば、読み出された第１ガンマ曲線に対応する８個の基準階調データを用いて基準電圧ＶＲＥＦを８個の基準階調電圧ＶＲ１〜ＶＲ８に変換し出力する。
【００２３】
データ駆動部１６０は、入力された画像データ１１１Ｄ（ＤＡＴＡ）を基準階調電圧発生部１５０から提供された基準階調電圧１５１を用いてアナログ形態のデータ電圧に変換して液晶表示パネル１８０に出力する。
【００２４】
スキャン駆動部１７０は、スキャン信号を生成して液晶表示パネル１８０に出力する。
液晶表示パネル１８０は、下部基板（またはアレイ基板）、上部基板、及び上部と下部の基板間に介在する液晶層を有する。下部基板（またはアレイ基板）は、複数のデータラインＤＬとデータラインＤＬと交差して配線された複数のスキャンラインＳＬを有し、データラインＤＬ及びスキャンラインＳＬによって画定される複数のピクセルを有する。
【００２５】
ピクセルは、スイッチング素子ＴＦＴ、液晶キャパシタＣＬＣ及びストレージキャパシタＣＳＴを有する。スイッチング素子ＴＦＴのゲート電極はスキャンラインＳＬと連結され、ソース電極はデータラインＤＬに連結され、ドレイン電極は液晶キャパシタＣＬＣの一端及びストレージキャパシタＣＳＴの一端と連結される。液晶キャパシタＣＬＣの他端及びストレージキャパシタＣＳＴの他端は共通電圧ＶＣＯＭ、ＶＳＴにそれぞれ連結される。
上部基板は、ピクセルに対応する位置に色彩を発現させるためのカラーフィルターを有し、液晶キャパシタＣＬＣの他端が連結される共通電極を有する。
【００２６】
図２は、図１のデータ駆動部１６０に対する詳細なブロック図であり、図３は、図２の第１データ駆動チップに対する詳細なブロック図である。
図２に示すように、データ駆動部１６０は複数のデータ駆動チップ１６１〜１６３を含み、複数のデータ駆動チップ１６１〜１６３には所定個の基準階調電圧ＶＲ１〜ＶＲ８と、画像データＤＡＴＡ及び制御信号１１１Ｃがそれぞれ入力され、また、前段のデータ駆動チップからキャリー信号１６１ａ、１６２ａが入力される。
【００２７】
図３に示すように、第１データ駆動チップ１６１はシフトレジスタ１６１−１、データレジスタ１６１−２、ラインラッチ１６１−３、階調電圧発生部１６１−４、デジタル−アナログ変換器１６１−５、及び出力バッファ１６１−６を含む。
シフトレジスタ１６１−１は、タイミング制御部１１０から提供される制御信号（水平同期開始信号）ＳＴＨに基づいてラッチパルスをラインラッチ１６１−３に出力する。
データレジスタ１６１−２は、タイミング制御部１１０から順次に入力される画像データ、即ち、Ｒ、Ｇ、Ｂデータをラインラッチ１６１−３の入力端に対応してラッチし、シフトレジスタ１６１−１からラッチパルスが入力されるとラッチされたＲ、Ｇ、Ｂデータをラインラッチ１６１−３に出力する。
【００２８】
ラインラッチ１６１−３は、ライン単位のＲ、Ｇ、Ｂデータをラッチする。タイミング制御部１１０からロード信号ＴＰが入力されると、ラッチされたデータをデジタル−アナログ変換器１６１−５に出力する。
階調電圧発生部１６１−４は、固定された分配抵抗を有し、基準階調電圧発生部１５０から提供された所定の個数の基準階調電圧ＶＲ１〜ＶＲ８に基づいて階調レベル数の数だけ階調電圧を生成する。一例として、階調レベル数は６４、２６５などである。
【００２９】
デジタル−アナログ変換器１６１−５は、ラインラッチ１６１−３から出力されるデジタル形態のＲ、Ｇ、Ｂデータを上記階調電圧に基づいてアナログ形態のデータ電圧に変換して出力する。
出力バッファ１６１−６は、アナログ形態に変換された電圧を増幅して出力する。即ち、データ電圧Ｄ１、Ｄ２、・・・Ｄｐは液晶表示パネル１８０のデータラインＤＬに出力される。
【００３０】
図４は、本発明の実施例による液晶表示装置の駆動方法を説明するための流れ図である。また、図５は、本発明により表示される画面の一例を説明するための概念図であり、図６は、本発明により表示される画面の他の例を説明するための概念図である。
【００３１】
以下に、本発明の実施例による液晶表示装置により表示される画面の一例の駆動方法について説明する。
図１ないし図５を参照すると、まず、第１駆動周波数に基づいて入力された画像データＤＡＴＡをフレーム貯蔵部１２０にフレーム単位で貯蔵する（段階Ｓ２０１）。
タイミング制御部１１０は、第１駆動周波数に対してｍ逓倍された第２駆動周波数に基づいてフレーム貯蔵部１２０から図５のｎ番目フレームデータ３１０の読み出しを行う（段階Ｓ２０３）。例えば、第１駆動周波数は６０Ｈｚであり、第２駆動周波数は１２０Ｈｚである。
【００３２】
タイミング制御部１１０は、読み出されたｎ番目のフレームデータ３１０をデータ駆動部１６０に出力する。また、タイミング制御部１１０はガンマ貯蔵部１３０に貯蔵された通常ガンマ値γ１を有する第１ガンマ曲線に対応する所定の個数の第１基準階調データを読み出して基準階調電圧発生部１５０に提供する。提供された第１基準階調データに基づいて、基準階調電圧発生部１５０は所定の個数の第１基準階調データを用いて所定の個数の第１基準階調電圧を生成する（段階Ｓ２０５）。基準階調電圧発生部１５０は所定の個数の第１基準階調電圧をデータ駆動部１６０に提供する。
【００３３】
データ駆動部１６０は所定個の第１基準階調電圧を用いて階調レベル数に対応する階調電圧を生成する。データ駆動部１６０は階調電圧に基づいてｎ番目フレームデータをアナログ形態のデータ電圧に変換して液晶表示パネル１８０に出力する（段階Ｓ２０７）。これにより、通常ガンマ曲線γ１が適用されたｎ番目フレームデータ３１０が液晶表示パネル１８０に第１サブフレーム画面３１１で表示される（段階２０９）。
【００３４】
次に、段階Ｓ２０９以後、タイミング制御部１１０は、段階Ｓ２０３で読み出されたｎ番目フレームデータ３１０をデータ駆動部１６０に再度出力する。タイミング制御部１１０はガンマ貯蔵部１３０に貯蔵された通常的なガンマ値γ１より大きい第２ガンマ値γ２を有する第２ガンマ曲線に対応する所定の個数の第２基準階調データの読み出しを行う。
基準階調電圧発生部１５０は、所定の個数の第２基準階調データを用いて所定の個数の第２基準階調電圧を生成する（段階Ｓ２１１）。そして、基準階調電圧発生部１５０は所定の個数の第２基準階調電圧をデータ駆動部１６０に提供する。
【００３５】
また、前記段階Ｓ２１１で、タイミング制御部１１０は使用者インターフェース（図示せず）から伝送されたガンマ選択信号に基づいて第２基準階調データの読み出しを行う。
ガンマ選択信号は使用者が使用者インターフェース（図示せず）を通じて動画像データモードに対応して使用者が直接ガンマ曲線を選択する制御信号である。これにより、基準階調電圧発生部１５０は使用者が選択したガンマ曲線に対応する所定個の第２基準階調データを用いて所定個の第２基準階調電圧を生成する。
【００３６】
データ駆動部１６０は、所定個の第２基準階調電圧を用いて階調レベル数に対応する階調電圧を生成する。データ駆動部１６０は階調電圧に基づいてｎ番目フレームデータをアナログ形態のデータ電圧に変換して液晶表示パネル１８０に出力する（段階Ｓ２１３）。
これにより、第２ガンマ曲線γ２が適用されたｎ番目フレームデータ３１０が液晶表示パネル１８０に第２サブフレーム画面３１２で表示される（段階Ｓ２１５）。
【００３７】
上述では第２駆動周波数が第１駆動周波数に対して２倍逓倍された場合として、ｎ番目フレームデータ３１０を通常ガンマ曲線が適用された第１サブフレーム画面３１１と通常ガンマ曲線より大きいガンマ値を有するガンマ曲線が適用された第２サブフレーム画面３１２で表示する。
【００３８】
勿論、初期フレームサイクルで通常ガンマ値γ１より大きいガンマ値γ２のガンマ曲線を適用して第１サブフレーム画面３１１を表示し、残りのフレームサイクルで通常ガンマ値γ１のガンマ曲線を適用して第２サブフレーム画面３１２を表示することもできる。例えば、６０Ｈｚの駆動周波数で、第１サブフレーム画面３１１及び第２サブフレーム画面３１２は１フレーム周期、即ち、１／６０秒（１６．７ｍｓ）内で表示することができる。
【００３９】
一方、図６に示すように、第２駆動周波数が第１駆動周波数に対して３倍逓倍された場合に対するサブフレーム画面を示す。例えば、第１駆動周波数は６０Ｈｚで、第２駆動周波数は１８０Ｈｚである。
【００４０】
図６に示すように、ｎ番目フレームデータ３３０を第１ないし第３サブフレーム画面３３１、３３２、３３３で表示する。第１サブフレーム画面３３１は通常ガンマ値γ１を有する第１ガンマ曲線を適用し、第２及び第３サブフレーム画面３３２、３３３は通常ガンマ値γ１より大きい第２及び第３ガンマ値γ２、γ３をそれぞれ有する第２及び第３ガンマ曲線を適用する。即ち、第１ないし第３ガンマ曲線のガンマ値の大きさの関係はγ１＜γ２＜γ３、またはγ１＜γ３＜γ２に定義することができる。望ましくは第２及び第３ガンマ曲線のガンマ値は通常ガンマ値より３以上大きい値であることが好ましい。
【００４１】
また、初期フレームサイクルの間、通常ガンマ値γ１より大きいガンマ値γ２、γ３を有する第２及び第３ガンマ曲線を適用して第１及び第２サブフレーム画面３３１、３３２を表示し、残りのフレームサイクルの間、通常ガンマ値γ１のガンマ曲線を適用して第３サブフレーム画面３３３を表示することもできる。
【００４２】
また、通常ガンマ値γ１より大きい第２ガンマ値γ２を有する第２ガンマ曲線を適用して第１サブフレーム画面３３１を表示し、通常ガンマ値γ１のガンマ曲線を適用して第２サブフレーム画面３３２を表示し、通常ガンマ値γ１より大きい第３ガンマ値γ３を有する第３ガンマ曲線を適用して第３サブフレーム画面３３３を表示することもできる。
例えば、６０Ｈｚの駆動周波数で、第１サブフレーム画面３３１ないし第３サブフレーム画面３３３は、１フレーム周期、即ち１／６０秒（１６．７ｍｓ）内で表示することができる。
【００４３】
このように、通常ガンマ値より大きいガンマ値が適用されたガンマ曲線が適用されたフレーム画面を通常ガンマ値が適用されたフレーム画面に挿入することによって画面の残像が残る現象を除去することができる。
【００４４】
図７は、本発明の実施例に適用されたガンマ曲線の特徴を説明するためのグラフである。
図７に示すように、ガンマ曲線はＸ軸は階調レベルで、Ｙ軸は階調レベルに対応する透光率である。図から分かるように、ガンマ値γが２．２からガンマ値γが３に大きくなると、中間（Ｍ）階調レベルに対応する透光率の変化が相対的にホワイト（Ｗ）及びブラック（Ｂ）の階調レベルに対応する透光率の変化に比べて大きい。反面、ホワイト（Ｗ）及びブラック（Ｂ）のレベルに対応する透光率の変化は中間（Ｍ）階調レベルに対応する透光率の変化に比べて小さい。以上のことから、ホワイト（Ｗ）及びブラック（Ｂ）に該当する基準階調電圧は殆ど変わりがなく中間（Ｍ）階調レベルに該当する基準階調電圧を大きく低下させることができる。
【００４５】
このようなガンマ曲線の特性を用いて、フレームデータを通常ガンマ値を適用して第１サブフレーム画面で表示し、通常ガンマ値より３以上大きいガンマ値を適用して少なくとも一つ以上の第２サブフレーム画面を表示して画面の残像が残る現象を除去する。即ち、中間レベルに該当する階調電圧を顕著に低下させることで比較的大きい画面の残像が残る現象においても中間レベルのデータを補償することができる。
また、さらに、残像の残る現象が比較的小さいホワイト及びブラックレベルに該当する階調電圧の変化を小さくしてホワイト及びブラックレベルのデータの損失を防ぐことができる。
【００４６】
尚、本発明は、上述の実施例に限られるものではない。本発明の技術的範囲から逸脱しない範囲内で多様に変更実施することが可能である。
【図面の簡単な説明】
【００４７】
【図１】本発明の実施例による液晶表示装置に対する概略的なブロック図である。
【図２】図１のデータ駆動部に対する詳細なブロック図である。
【図３】図２の第１データ駆動チップに対する詳細なブロック図である。
【図４】本発明の実施例による液晶表示装置の駆動方法を説明するための流れ図である。
【図５】本発明により表示される画面の一例を説明するための概念図である。
【図６】本発明により表示される画面の他の例を説明するための概念図である。
【図７】本発明の実施例に適用されたガンマ曲線の特性を説明するためのグラフである。
【符号の説明】
【００４８】
１１０      タイミング制御部
１２０      フレーム貯蔵部
１３０      ガンマ貯蔵部
１４０      駆動電圧発生部
１５０      基準階調電圧発生部
１６０      データ駆動部
１６１〜１６３  データ駆動チップ
１６１−１    シフトレジスタ
１６１−２    データレジスタ
１６１−３    ラインラッチ
１６１−４    階調電圧発生部
１６１−５    デジタル−アナログ変換器
１６１−６    出力バッファ
１７０      スキャン駆動部
１８０      液晶表示パネル
【図１】
2006058891.tif 000003
【図２】
2006058891.tif 000004
【図３】
2006058891.tif 000005
【図４】
2006058891.tif 000006
【図５】
2006058891.tif 000007
【図６】
2006058891.tif 000008
【図７】
2006058891.tif 000009